(57)【要約】【課題】低速回転時のイグナイタの発生電圧を上げることができるフライホイール磁石回転子を得る。【解決手段】永久磁石６の一方の磁極面に磁極片７を重ね、その外周に非磁性体よりなるケース８を嵌めて磁石ユニット５を構成する。磁石ユニット５はフライホイールの外周に、磁極片７を外向きにした状態で磁極片７と永久磁石６を貫通するビスで固定する。ケース８の内面には、このケース８の底部に向かうにつれて内向きに傾斜状態で張り出したケース抜止め傾斜面１４を形成する。永久磁石６の周面には、その底部に向かうにつれて内向きに傾斜状態で後退したケース抜止め傾斜面１５を形成する。ケース８と永久磁石６とは、相互のケース抜止め傾斜面１４，１５を突き合わせて組み合わせる。磁極片７は、ケース抜止め傾斜面１４，１５の箇所でケース８の内面に嵌める。【選択図】  図１
2004180359.tif 000002
【特許請求の範囲】
【請求項１】
永久磁石の一方の磁極面に磁極片が重ねられ、その外周に非磁性体よりなるケースが嵌められて構成されている磁石ユニットが、フライホイールの外周に、前記磁極片を外向きにした状態で該磁極片と前記永久磁石を貫通するビスで固定されているフライホイール磁石回転子において、
前記ケースの内面には該ケースの底部に向かうにつれて内向きに傾斜状態で張り出したケース抜止め傾斜面が形成され、前記永久磁石の周面にはその底部に向かうにつれて内向きに傾斜状態で後退したケース抜止め傾斜面が形成され、前記ケースと前記永久磁石とは相互の前記ケース抜止め傾斜面を突き合わせて組み合わされ、前記磁極片は前記ケース抜止め傾斜面の箇所で前記ケースの内面に嵌められていることを特徴とするフライホイール磁石回転子。
【請求項２】
ほぼ四角形の永久磁石の一方の磁極面にほぼ四角形の磁極片が重ねられ、その外周に非磁性体よりなるほぼ四角形のケースが嵌められて構成されている磁石ユニットが、フライホイールの外周に、前記磁極片を外向きにした状態で該磁極片と前記永久磁石を貫通するビスで固定されているフライホイール磁石回転子において、
前記ケースの対向する内面には該ケースの底部に向かうにつれて内向きに傾斜状態で張り出したケース抜止め傾斜面が形成され、前記永久磁石の対向する周面にはその底部に向かうにつれて内向きに傾斜状態で後退したケース抜止め傾斜面が形成され、前記ケースと前記永久磁石とは相互の前記ケース抜止め傾斜面を突き合わせて組み合わされ、前記磁極片は前記ケース抜止め傾斜面の箇所で前記ケースの内面に嵌められていることを特徴とするフライホイール磁石回転子。
【請求項３】
ほぼ四角形の前記ケースと前記永久磁石の前記ケース抜止め傾斜面は、前記磁石ユニットの回転方向に対し直交する側の２面にのみ設けられていることを特徴とする請求項２に記載のフライホイール磁石回転子。
【請求項４】
ほぼ四角形の前記ケースと前記永久磁石の前記ケース抜止め傾斜面は、前記ケースと前記永久磁石の４面に設けられていることを特徴とする請求項２に記載のフライホイール磁石回転子。
【発明の詳細な説明】
【０００１】
【発明の属する技術分野】
本発明は、フライホイールの外周にビスで磁石ユニットが固定されているフライホイール磁石回転子に関するものである。
【０００２】
【従来の技術】
図５乃至図７（Ａ）〜（Ｃ）は従来のフライホイール磁石発電機とこれに使用されているフライホイール磁石回転子を示したもので、図５は従来のフライホイール磁石発電機の正面図、図６は図５で用いているフライホイール磁石回転子の一部破断背面図、図７（Ａ）は図６のフライホイール磁石回転子に組み込まれた磁石ユニットの正面図、図７（Ｂ）は図７（Ａ）のＡ−Ａ線断面図、図７（Ｃ）は図７（Ａ）の側面図である。
【０００３】
従来のフライホイール磁石回転子１は、筒部２ａとその一端を閉塞している底部２ｂと、該底部２ｂの中心から筒部２ａ内に突設されたボス部２ｃとを備えたカップ状のフライホイール２を有している。このフライホイール２は、そのボス部２ｃを図示しないエンジンのクランク軸に嵌めて固定して、回転駆動されるようになっている。フライホイール２の底部２ｂの外周寄りの位置には、放射状に複数の羽根３が突設され、送風を行うようになっている。
【０００４】
フライホイール２の筒部２ａの外周には、凹部４が設けられている。この凹部４の底面に磁石ユニット５が固定されている。磁石ユニット５は、ほぼ長四角形の永久磁石６の一方の磁極面にほぼ長四角形の磁極片７が重ねられ、その外周に合成樹脂の如き非磁性体よりなるほぼ長四角形のケース８が嵌められて構成されている。磁極片７は永久磁石６より大きく形成されていて、永久磁石６の外に張り出した張出し部７ａがケース８の入口の段状の凹部８ａに嵌められている。磁極片７と永久磁石６とには１対の孔９があけられ、これら孔９に通されたビス１０のフライホイール２に対する螺着と接着剤１１とでフライホイール２に固定されている。このとき、ほぼ長四角形の磁石ユニット５はその長い方の２辺をフライホイール２の回転方向に向けて配置されて、該フライホイール２に固定されている。この状態で、磁石ユニット５の磁極片７は、フライホイール２の外周から外に飛び出さないようになっている（例えば、特許文献１参照。）。
【０００５】
このようなフライホイール磁石回転子１の外周には、エアーギャップを介してイグナイタ１２の鉄心１３の先端が対向配置されている。イグナイタ１２は、イグニッションコイルと、コントロールユニットと、鉄心１３とを備えて構成されている。このようなイグナイタ１２は、図示しないエンジンの点火タイミングに合わせて点火プラグに高電圧を供給するようになっている。鉄心１３の先端の幅は、永久磁石６の幅とほぼ等しく形成されている。
【０００６】
【特許文献１】
特開２００２−１３６０８１号（図１）
【０００７】
【発明が解決しようとする課題】
しかしながら、このようなフライホイール磁石回転子１では、フライホイール２と一緒の磁石ユニット５の回転方向に対し直交する方向では、永久磁石６に対して磁極片７の張出し部７ａが外に張り出しているので、この張出し部７ａから永久磁石６の磁束が漏洩し、エンジンの低速回転時のイグナイタ１２の発生電圧が低下する問題点があった。
【０００８】
本発明の目的は、低速回転時のイグナイタの発生電圧を上げることができるフライホイール磁石回転子を提供することにある。
【０００９】
【課題を解決するための手段】
本発明は、永久磁石の一方の磁極面に磁極片が重ねられ、その外周に非磁性体よりなるケースが嵌められて構成されている磁石ユニットが、フライホイールの外周に、磁極片を外向きにした状態で該磁極片と前記永久磁石を貫通するビスで固定されているフライホイール磁石回転子を対象とする。
【００１０】
本発明に係るフライホイール磁石回転子では、磁石ユニットのケースの内面には該ケースの底部に向かうにつれて内向きに傾斜状態で張り出したケース抜止め傾斜面が形成され、永久磁石の周面にはその底部に向かうにつれて内向きに傾斜状態で後退したケース抜止め傾斜面が形成され、ケースと永久磁石とは相互のケース抜止め傾斜面を突き合わせて組み合わされ、磁極片はケース抜止め傾斜面の箇所でケースの内面に嵌められていることを特徴とする。
【００１１】
このようにビスでフライホイールの外周に固定された磁極片と永久磁石の外周のケースが該永久磁石に対して相互のケース抜止め傾斜面で突き合わされており、磁極片がケース抜止め傾斜面の箇所でケースの内面に嵌められていると、ケース抜止め傾斜面の箇所で磁極片が永久磁石の外に張り出さなくなる。このため、ケース抜止め傾斜面の箇所で永久磁石からの磁束の漏洩がなくなり、低速回転時のイグナイタの発生電圧を上げることができる。
【００１２】
また本発明は、ほぼ四角形の永久磁石の一方の磁極面にほぼ四角形の磁極片が重ねられ、その外周に非磁性体よりなるほぼ四角形のケースが嵌められて構成されている磁石ユニットが、フライホイールの外周に、磁極片を外向きにした状態で該磁極片と永久磁石を貫通するビスで固定されているフライホイール磁石回転子を対象とする。
【００１３】
本発明に係るフライホイール磁石回転子では、磁石ユニットのケースの対向する内面には該ケースの底部に向かうにつれて内向きに傾斜状態で張り出したケース抜止め傾斜面が形成され、永久磁石の対向する周面にはその底部に向かうにつれて内向きに傾斜状態で後退したケース抜止め傾斜面が形成され、ケースと永久磁石とは相互のケース抜止め傾斜面を突き合わせて組み合わされ、磁極片はケース抜止め傾斜面の箇所でケースの内面に嵌められていることを特徴とする。
【００１４】
このようにビスでフライホイールの外周に固定されたそれぞれほぼ四角形の磁極片と永久磁石の外周のほぼ四角形のケースが該永久磁石に対して相互のケース抜止め傾斜面で突き合わされており、磁極片がケース抜止め傾斜面の箇所でケースの内面に嵌められていると、ケース抜止め傾斜面の箇所で磁極片が永久磁石の外に張り出さなくなる。このため、ケース抜止め傾斜面の箇所で永久磁石からの磁束の漏洩がなくなり、低速回転時のイグナイタの発生電圧を上げることができる。
【００１５】
この場合、それぞれほぼ四角形のケースと永久磁石のケース抜止め傾斜面は、磁石ユニットの回転方向に対し直交する側の２面にのみ設けられていても、それぞれほぼ四角形のケースと永久磁石の４面に設けられていていも、いずれでもよい。特に、ケース抜止め傾斜面が磁石ユニットの回転方向に対し直交する側の２面にのみ設けられていると、４面に設けられていているものより、構造の簡略化を図ることができる。
【００１６】
【発明の実施の形態】
図１（Ａ）〜（Ｃ）及び図２は本発明に係るフライホイール磁石回転子で用いている磁石ユニットの第１例を示したもので、図１（Ａ）は本例の磁石ユニットの正面図、図１（Ｂ）は図１（Ａ）のＢ−Ｂ線断面図、図１（Ｃ）は図１（Ａ）の側面図、図２は図１（Ｂ）のＣ部拡大図である。なお、前述した図７（Ａ）〜（Ｃ）と対応する部分には、同一符号を付けて示している。
【００１７】
本例の磁石ユニット５では、図１（Ａ）で左右方向となる該磁石ユニット５の回転方向に対して直交する方向のケース８の対向する内面には、ケース８の底部に向かうにつれて内向きに傾斜状態で張り出したケース抜止め傾斜面１４が形成されている。これに対応して永久磁石６の対向する周面には、その底部に向かうにつれて内向きに傾斜状態で後退したケース抜止め傾斜面１５が形成されている。ケース８と永久磁石６とは、相互のケース抜止め傾斜面１４，１５を突き合わせて組み合わされている。磁極片７は、ケース抜止め傾斜面１４，１５の箇所でケース８の内面に嵌められている。
【００１８】
磁石ユニット５の回転方向の箇所では、磁極片７は永久磁石６より大きく形成されていて、永久磁石６の外に張り出した張出し部７ａがケース８の入口の段状の凹部８ａに嵌められている。
【００１９】
このような磁石ユニット５のフライホイール２の凹部４の底面に対する取付けは、前述した図６と同様に磁極片７と永久磁石６の孔９に通されたビス１０をフライホイール２の凹部４の底面の箇所でフライホイール２に螺着すること、及び永久磁石６と凹部４の底面との間に配置した接着剤１１により行われている。
【００２０】
その他の構成は、前述した図５及び図６と同様である。
【００２１】
このようにビス１０でフライホイール２の外周に固定されたそれぞれほぼ長四角形の磁極片７と永久磁石６の外周のほぼ長四角形のケース８が該永久磁石６に対して相互のケース抜止め傾斜面１４，１５で突き合わされており、磁極片７がケース抜止め傾斜面１４，１５の箇所でケース８の内面に嵌められていると、ケース抜止め傾斜面１４，１５の箇所で磁極片７が永久磁石６の外に張り出さなくなる。このため、ケース抜止め傾斜面１４，１５の箇所で永久磁石６からの磁束の漏洩がなくなり、低速回転時のイグナイタ１２の発生電圧を上げることができる。
【００２２】
本例では、磁石ユニット５の回転方向に対して直交する方向の側でケース８と永久磁石６にケース抜止め傾斜面１４，１５を設け、磁極片７はこれらケース抜止め傾斜面１４，１５の箇所でケース８の内面に嵌めているので、イグナイタ１２の鉄心１３に対向しない箇所で、永久磁石６からの磁束の漏洩がなくなり、低速回転時のイグナイタ１２の発生電圧を上げることができる。また、ケース抜止め傾斜面１４，１５が磁石ユニット５の回転方向に対し直交する側の２面にのみ設けられていると、４面に設けられていているものより、構造の簡略化を図ることができる。
【００２３】
図３（Ａ）〜（Ｃ）及び図４は本発明に係るフライホイール磁石回転子で用いている磁石ユニットの第２例を示したもので、図３（Ａ）は本例の磁石ユニットの正面図、図３（Ｂ）は図３（Ａ）のＤ−Ｄ線断面図、図３（Ｃ）は図３（Ａ）の側面図、図４は図３（Ｂ）のＥ部拡大図である。なお、前述した図３（Ａ）〜（Ｃ）及び図４と対応する部分には、同一符号を付けて示している。
【００２４】
本例の磁石ユニット５では、ケース８と永久磁石６に設けるケース抜止め傾斜面１４，１５は、ほぼ長四角形のケース８と永久磁石６の４面に設けられている。その他の構成は、図１（Ａ）〜（Ｃ）及び図２と同様になっている。
【００２５】
このような構成でも、第１例と同様な効果が得られる。
【００２６】
【発明の効果】
本発明に係るフライホイール磁石回転子では、ビスでフライホイールの外周に固定された磁極片と永久磁石の外周のケースが該永久磁石に対して相互のケース抜止め傾斜面で突き合わされており、磁極片がケース抜止め傾斜面の箇所でケースの内面に嵌められているので、ケース抜止め傾斜面の箇所で磁極片が永久磁石の外に張り出さなくなる。このため、ケース抜止め傾斜面の箇所で永久磁石からの磁束の漏洩がなくなり、低速回転時のイグナイタの発生電圧を上げることができる。
【００２７】
また、本発明に係るフライホイール磁石回転子では、ビスでフライホイールの外周に固定されたそれぞれほぼ四角形の磁極片と永久磁石の外周のほぼ四角形のケースが該永久磁石に対して相互のケース抜止め傾斜面で突き合わされており、磁極片がケース抜止め傾斜面の箇所でケースの内面に嵌められているので、ケース抜止め傾斜面の箇所で磁極片が永久磁石の外に張り出さなくなる。このため、ケース抜止め傾斜面の箇所で永久磁石からの磁束の漏洩がなくなり、低速回転時のイグナイタの発生電圧を上げることができる。
【００２８】
この場合、ケース抜止め傾斜面が磁石ユニットの回転方向に対し直交する側の２面にのみ設けられていると、４面に設けられていているものより、構造の簡略化を図ることができる。
【図面の簡単な説明】
【図１】本発明に係るフライホイール磁石回転子で用いている磁石ユニットの第１例を示したもので、（Ａ）は本例の磁石ユニットの正面図、（Ｂ）は（Ａ）のＢ−Ｂ線断面図、（Ｃ）は（Ａ）の側面図である。
【図２】図１（Ｂ）のＣ部拡大図である。
【図３】本発明に係るフライホイール磁石回転子で用いている磁石ユニットの第２例を示したもので、（Ａ）は本例の磁石ユニットの正面図、（Ｂ）は（Ａ）のＤ−Ｄ線断面図、（Ｃ）は（Ａ）の側面図である。
【図４】図３（Ｂ）のＥ部拡大図である。
【図５】従来のフライホイール磁石発電機の正面図である。
【図６】図５で用いているフライホイール磁石回転子の一部破断背面図である。
【図７】（Ａ）は図６のフライホイール磁石回転子に組み込まれた磁石ユニットの正面図、（Ｂ）は（Ａ）のＡ−Ａ線断面図、（Ｃ）は（Ａ）の側面図である。
【符号の説明】
１  フライホイール磁石回転子
２  フライホイール
２ａ  筒部
２ｂ  底部
２ｃ  ボス部
３  羽根
４  凹部
５  磁石ユニット
６  永久磁石
７  磁極片
７ａ  張出し部
８  ケース
８ａ  凹部
９  孔
１０  ビス
１１  接着剤
１２  イグナイタ
１３  鉄心
１４，１５  ケース抜止め傾斜面
【図１】
2004180359.tif 000003
【図２】
2004180359.tif 000004
【図３】
2004180359.tif 000005
【図４】
2004180359.tif 000006
【図５】
2004180359.tif 000007
【図６】
2004180359.tif 000008
【図７】
2004180359.tif 000009